(57)【要約】【課題】  効率的に複数の施設を利用可能にする。【解決手段】  実施形態の遊戯施設案内システムは、近距離無線通信をする第１通信機能と、第１通信機能と異なる無線通信をする第２通信機能とを有する情報サーバと、第１通信機能あるいは第２通信機能により情報サーバと通信する表示端末とを有する。情報サーバは、記憶手段と、書込み手段と、送信手段とを有する。記憶手段は、遊戯施設への来場者の識別情報と対応づけて、来場者の個人情報を含む来場者固定情報を記憶する。書込み手段は、来場者が使用する表示端末に、第１通信機能を利用して来場者固定情報を書き込む。送信手段は、来場者固定情報を書き込んだ表示端末に対して、識別情報に対応する来場者と関係する時間経過と共に変更される来場者動的情報を第２通信機能により送信する。表示端末は、来場者固定情報と来場者動的情報とをもとに、遊戯施設を案内する案内情報を表示する表示手段を有する。【選択図】      図１
2016057706.tif 000002
【特許請求の範囲】
【請求項１】
近距離無線通信をする第１通信機能と、前記第１通信機能と異なる無線通信をする第２通信機能とを有する情報サーバと、
前記第１通信機能あるいは前記第２通信機能により前記情報サーバと通信する表示端末とを有する遊戯施設案内システムであって、
前記情報サーバは、
遊戯施設への来場者の識別情報と対応づけて、前記来場者の個人情報を含む来場者固定情報を記憶する記憶手段と、
来場者が使用する前記表示端末に、前記第１通信機能を利用して前記来場者固定情報を書き込む書込み手段と、
前記来場者固定情報を書き込んだ前記表示端末に対して、前記識別情報に対応する前記来場者と関係する時間経過と共に変更される来場者動的情報を前記第２通信機能により送信する送信手段とを有し、
前記表示端末は、
前記来場者固定情報と前記来場者動的情報とをもとに、前記遊戯施設を案内する案内情報を表示する表示手段を有する遊戯施設案内システム。
【請求項２】
前記情報サーバは、前記遊戯施設に配置された複数の無線中継器を介した前記第２通信機能による通信をもとに、前記表示端末の前記遊戯施設内の位置を特定する位置特定手段をさらに有し、
前記送信手段は、前記来場者動的情報として、前記位置特定手段により特定された位置を示す情報を送信する請求項１記載の遊戯施設案内システム。
【請求項３】
前記記憶手段は、前記識別情報と対応づけて、前記来場者との同行者を示す同行者識別情報を記憶し、
前記送信手段は、前記来場者動的情報として、前記同行者の位置を示す情報を送信する請求項２記載の遊戯施設案内システム。
【請求項４】
前記情報サーバは、前記遊戯施設内の複数の施設のそれぞれと対応して、前記第１通信機能により前記表示端末から受信する前記来場者固定情報をもとに、前記複数の施設の順番待ちを管理する待ち管理手段をさらに有し、
前記送信手段は、前記来場者動的情報として、前記管理手段により管理された順番待ちの情報を送信する請求項１記載の遊戯施設案内システム。
【請求項５】
表示端末に情報を送信する情報サーバであって、
遊戯施設への来場者の識別情報と対応づけて、前記来場者の個人情報を含む来場者固定情報を記憶する記憶手段と、
来場者が使用する前記表示端末に、近距離無線通信をする第１通信機能を利用して前記来場者固定情報を書き込む書込み手段と、
前記来場者固定情報を書き込んだ前記表示端末に対して、前記識別情報に対応する前記来場者と関係する時間経過と共に変更される来場者動的情報を前記第１通信機能と異なる無線通信をする第２通信機能により送信する送信手段とを有する情報サーバ。
【請求項６】
表示端末に情報を送信するコンピュータを、
遊戯施設への来場者の識別情報と対応づけて、前記来場者の個人情報を含む来場者固定情報を記憶する記憶手段と、
来場者が使用する前記表示端末に、近距離無線通信をする第１通信機能を利用して前記来場者固定情報を書き込む書込み手段と、
前記来場者固定情報を書き込んだ前記表示端末に対して、前記識別情報に対応する前記来場者と関係する時間経過と共に変更される来場者動的情報を前記第１通信機能と異なる無線通信をする第２通信機能により送信する送信手段として機能させるための遊戯施設案内プログラム。
【発明の詳細な説明】
【技術分野】
【０００１】
本発明の実施形態は、遊戯施設案内システム、情報サーバ及び遊戯施設案内プログラムに関する。
【背景技術】
【０００２】
遊園地やテーマパークなどの遊戯施設には、広い施設エリア内に遊戯物や飲食店、物品販売する店舗など複数の施設が点在して設けられている。通常、遊戯施設への来場者は、複数の施設を効率的に利用したいという要望がある。しかし、来場者が多い場合には、来場者が利用したい遊戯物に長い順番待ちが発生することがある。一方、ほとんど待たないでも利用できる遊戯物もある。従って、複数の遊戯物を利用するため、空いている施設の順に回れば効率よく利用することができる。しかし、各施設の前に待ち時間が表示されていても、他の施設の待ち時間が表示されていないため、来場者は、何れの施設を先に利用すれば効率良く複数の施設を利用できるかは把握できない。
【０００３】
特に、家族や友人同士などグループで来場した場合、グループ内の各来場者は、同じ施設を一緒に利用するために、一緒に同じ施設の順番待ちする必要がある。すなわち、グループ内の各来場者が個々に遊戯施設内で行動すると、お互いにどこにいるか把握することができないため同じ行動をとる必要がある。グループ内の全ての来場者が携帯電話機を所有していれば、互いに携帯電話機を用いて連絡を取ることができるが、非常に手間がかかってしまう。
【０００４】
従来では、大規模遊戯施設等において、各施設の混雑度を含む情報を取得して、この混雑度をもとにした情報を来場者に提供するシステムが考えられている。
【先行技術文献】
【特許文献】
【０００５】
【特許文献１】特開２００４−３１８３８２号公報
【発明の概要】
【発明が解決しようとする課題】
【０００６】
従来、各施設の待ち時間を取得することができるが、長い順番待ちが発生した施設については順番待ちをする必要がある。特に、グループで来場した場合には、個別に行動するとお互いの場所が把握できなくなるため、一緒に順番待ちをする必要がある。
【０００７】
本発明が解決しようとする課題は、効率的に複数の施設を利用可能にする遊戯施設案内システム、情報サーバ及び遊戯施設案内プログラムを提供することである。
【課題を解決するための手段】
【０００８】
実施形態の遊戯施設案内システムは、近距離無線通信をする第１通信機能と、前記第１通信機能と異なる無線通信をする第２通信機能とを有する情報サーバと、前記第１通信機能あるいは前記第２通信機能により前記情報サーバと通信する表示端末とを有する。前記情報サーバは、記憶手段と、書込み手段と、送信手段とを有する。記憶手段は、遊戯施設への来場者の識別情報と対応づけて、前記来場者の個人情報を含む来場者固定情報を記憶する。書込み手段は、来場者が使用する前記表示端末に、前記第１通信機能を利用して前記来場者固定情報を書き込む。送信手段は、前記来場者固定情報を書き込んだ前記表示端末に対して、前記識別情報に対応する前記来場者と関係する時間経過と共に変更される来場者動的情報を前記第２通信機能により送信する。前記表示端末は、前記来場者固定情報と前記来場者動的情報とをもとに、前記遊戯施設を案内する案内情報を表示する表示手段を有する。
【図面の簡単な説明】
【０００９】
【図１】本実施形態に係る遊戯施設案内システムの構成を示すブロック図。
【図２】本実施形態における情報サーバの構成を示すブロック図。
【図３】本実施形態における表示端末とＮＦＣ読み取り装置の構成を示すブロック図。
【図４】本実施形態における情報サーバ４０により管理される表示端末管理テーブル４４ａの内容の一例を示す図。
【図５】本実施形態における情報サーバ４０により管理される来園者情報テーブル４４ｂの内容の一例を示す図。
【図６】本実施形態における情報サーバ４０により管理される待ち管理データ４４ｃの内容の一例を示す図。
【図７】本実施形態における表示端末設定処理を示すフローチャート。
【図８】本実施形態における案内情報更新処理を示すフローチャート。
【図９】本実施形態における待ち管理処理を示すフローチャート。
【図１０】本実施形態における発送受け付け処理を示すフローチャート。
【図１１】本実施形態における表示端末設定処理を説明するための図。
【図１２】本実施形態における表示端末１０の表示デバイス１５に表示される案内情報の一例を示す図。
【図１３】本実施形態における待ち管理処理を説明するための図。
【図１４】本実施形態における順番待ちした場合の案内情報の一例を示す図。
【図１５】本実施形態における発送受け付け処理を説明するための図。
【発明を実施するための形態】
【００１０】
以下、実施の形態について図面を用いて説明する。  
図１は、本実施形態に係る遊戯施設案内システムの構成を示すブロック図である。  
遊戯施設案内システムは、広い場所に複数の施設（遊戯物、飲食店、店舗など）が配置された例えば遊園地、テーマパーク、博物館などの遊戯施設において、来場者（来園者）が効率的に施設を利用することを可能にするサービスを提供する。以下、遊園地の来園者にサービスを提供する場合を例にして説明する。
【００１１】
遊戯施設案内システムは、複数の表示端末１０（１０−１，１０−２，…，１０−ｎ）、端末管理装置２０、複数の無線中継器２１（２１−１，２１−２，…，２１−ｈ）、端末管理装置２０、情報サーバ４０、複数の受付装置４７（図１において１つのみ示す）、受付装置４７のそれぞれに接続されるスキャナ４８、複数のＮＦＣ（near field communication）書込み装置４９（図１において１つのみ示す）、複数のＮＦＣ読み取り装置５０（５０−１，５０−２，…，５０−ｍ）、及び複数の施設表示装置６０（６０−１，６０−２，…，６０−ｋ）、ＰＯＳ（Point of Sales）システム７０、ＰＯＳシステム７０に接続されたＮＦＣ読み取り装置７１及びプリンタ７２を含む。携帯端末３０は、例えば来園者が所有するもので、モバイルネットワーク３００、インターネット４００を介して、情報サーバ４０と情報を送受信するために使用される。
【００１２】
表示端末１０は、来園者に対して、来園時（受付時）に貸与されるもので、情報サーバ４０から提供される情報を表示する。表示端末１０は、来園者が複数人からなるグループ（家族、友人同士など）を構成する場合も、個別に来園者に貸与されるものとする。表示端末１０は、例えば一般に電子棚札と称される表示デバイスにより実現することができる。表示端末１０は、無線中継器２１との間で通信する無線通信機能と、ＮＦＣ書込み装置４９あるいはＮＦＣ読み取り装置５０との間で通信する近距離無線通信機能（ＮＦＣ）を有する。
【００１３】
端末管理装置２０は、情報サーバ４０の制御のもとで、無線中継器２１を介して、複数の表示端末１０のそれぞれと無線通信することができる。端末管理装置２０は、表示端末１０のそれぞれに割り当てられた表示端末ＩＤと、来園者の個々を識別可能に定められた来園者ＩＤとの関連付けを管理する。端末管理装置２０は、関連付けが変更された場合に、該当する表示端末ＩＤで識別される表示端末１０で表示する画像を、新たに関連付けられる来園者ＩＤで識別される来園者に対する情報を表すものに変更する。
【００１４】
無線中継器２１は、遊園地敷地内の来園者が行動可能な全ての範囲で、表示端末１０と無線通信が可能となるように配置される。情報サーバ４０は、何れに配置された無線中継器２１を介して表示端末１０と通信可能であるかに応じて、表示端末１０の位置を特定する。
【００１５】
携帯端末３０は、モバイルネットワーク３００及びインターネット４００を介したデータ通信機能を備える。携帯端末３０は、例えば、スマートフォンやタブレット端末（ＰＣ）などにより実現される。
【００１６】
受付装置４７は、例えば遊園地の入り口近くの受付窓口などに設置される。受付装置４７は、例えばパーソナルコンピュータなどの情報機器により実現されるもので、キーボード、タブレットなどの入力デバイス、ディスプレイなどの表示装置を有する。また、受付装置４７には、来園者に予め発行されたチケットに記録された来園者固有の識別情報（例えば二次元コード）などを光学的に読み取るスキャナ４８が接続される。受付装置４７は、スキャナ４８により読み取られた識別情報を情報サーバ４０に送信する。
【００１７】
ＮＦＣ読み取り装置５０は、表示端末１０が近接（例えば１０ｃｍ以内）されることにより、近距離無線通信機能（ＮＦＣ）によるデータ通信をする。ＮＦＣ読み取り装置５０は、表示端末１０に記録された端末識別情報（表示端末ＩＤ、あるいはＮＦＣＩＤ）、表示端末１０に記録された各種データ（来園者情報など）を読み取る。ＮＦＣ読み取り装置５０は、例えば、遊園地に設けられた各遊戯物などの入り口近くなどに設置される。
【００１８】
ＮＦＣ書込み装置４９は、表示端末１０が近接（例えば１０ｃｍ以内）されることにより、近距離無線通信機能（ＮＦＣ）によるデータ通信をする。ＮＦＣ書込み装置４９は、表示端末１０に対して各種データを記録させる。ＮＦＣ書込み装置４９は、例えば遊園地の入り口近くの受付窓口などに設置される。  
なお、図１では、ＮＦＣ読み取り装置５０とＮＦＣ書込み装置４９とを独立した構成としているが、ＮＦＣにより読み書きが可能な単一の構成としても良い。
【００１９】
施設表示装置６０は、情報サーバ４０の制御により、来園者に対する各種情報を表示する。施設表示装置６０は、例えば、遊戯物の順番待ちをしている来園者に対して、遊戯物の順番を通知するための表示をする。施設表示装置６０は、各遊戯物の近くや、遊園地内の各所に設けられる。
【００２０】
ＰＯＳシステム７０は、遊園地内に設けられた店舗における商品の販売を管理するシステムである。ＰＯＳシステム７０には、ＮＦＣ読み取り装置７１とプリンタ７２が接続される。
【００２１】
ＮＦＣ読み取り装置７１は、商品を購入した来園者が持つ表示端末１０が近接（例えば１０ｃｍ以内）されることにより、近距離無線通信機能（ＮＦＣ）によるデータ通信をする。ＮＦＣ読み取り装置７１は、表示端末１０に記録された端末識別情報（表示端末ＩＤ、あるいはＮＦＣＩＤ）、表示端末１０に記録された各種データ（来園者情報など）を読み取る。  
プリンタ７２は、ＮＦＣ読み取り装置７１から読み取られた端末識別情報、あるいは来園者情報をもとに、商品を宅配業者により配送させるために必要な送り状（配送伝票）を印刷する。
【００２２】
図２は、本実施形態における情報サーバ４０の構成を示すブロック図である。  
情報サーバ４０は、例えば汎用のサーバ装置やコンピュータ装置によって実現することができる。情報サーバ４０は、図２に示すように、ＣＰＵ４１、ＲＯＭ４２、ＲＡＭ４３、補助記憶デバイス４４、通信デバイス４５，４６、及び伝送システム４７を含む。伝送システム４７は、ＣＰＵ４１、ＲＯＭ４２、ＲＡＭ４３、補助記憶デバイス４４、通信デバイス４５，４６の間でデータを伝送する。伝送システム４７は、システムバスなどの各種のバスと、これらのバスと各部とを接続する各種のインタフェース回路とを含む周知のものであって良い。
【００２３】
ＣＰＵ４１、ＲＯＭ４２、ＲＡＭ４３及び補助記憶デバイス４４は、伝送システム４７により接続されてコンピュータを構成する。
【００２４】
ＣＰＵ４１は、ＲＯＭ４２に記憶されたオペレーティングシステムや、ＲＯＭ４２または補助記憶デバイス４４に記憶されたアプリケーションプログラム（遊戯施設案内プログラムを含む）に基づいて、情報サーバ４０としての機能を実現するための制御処理を実行する。ＣＰＵ４１は、遊戯施設案内プログラムを実行することにより、例えば後述する表示端末設定処理、案内情報更新処理、待ち管理処理、発送受け付け処理等を実行する機能を実現する。遊戯施設案内プログラムは、例えば、磁気ディスク、光磁気ディスク、光ディスク、半導体メモリなどのようなリムーバブルな記録媒体に記録して、あるいはネットワークを介して配布される。
【００２５】
ＲＯＭ４２は、オペレーティングシステム及びアプリケーションプログラムを記憶する。またＲＯＭ４２は、ＣＰＵ４１が各種の処理を行う上で参照するデータを記憶する場合もある。
【００２６】
ＲＡＭ４３は、ＣＰＵ４１が各種の処理を行う上で参照するデータを記憶する。さらにＲＡＭ４３は、ＣＰＵ４１が各種の処理を行う上で一時的に使用するデータを記憶しておく、いわゆるワークエリアとして利用される。
【００２７】
補助記憶デバイス４４は、アプリケーションプログラム、ＣＰＵ４１が各種の処理を行う上で使用するデータ、あるいはＣＰＵ４１での処理によって生成されたデータを保存する。補助記憶デバイス４４は、例えば表示端末管理テーブル４４ａ（図４参照）、来園者情報テーブル４４ｂ（図５参照）、待ち管理データ４４ｃ（図６参照）、案内データ４４ｄなどが記憶される。
【００２８】
表示端末管理テーブル４４ａは、来園者に貸与される表示端末１０と来園者との対応を管理するためのデータである。来園者情報テーブル４４ｂは、来園者個人に関するデータである。待ち管理データ４４ｃ（図６参照）は、遊園地に設けられた複数の施設（遊戯物、飲食店、店舗など）のそれぞれについて、順番待ちを管理するためのデータである。案内データ４４ｄは、来園者に対して複数の施設を効率的に利用できるようにするための案内を提供するためのデータである。案内データ４４ｄには、複数の施設の配置を示すレイアウトデータ（遊園地内地図）、来園者に提供するメッセージ（表示データ、音声データ）などが含まれる。以下、来園者情報テーブル４４ｂ、待ち管理データ４４ｃ、案内データ４４ｄに含まれるデータの全て、あるいは一部を来園者情報と称する。来園者情報は、来園者によって予め登録された来園者固定情報（来場者固定情報）と、時間経過と共に変更される来園者動的情報（来場者動的情報）とを含む。来園者情報は、情報サーバ４０の管理により、来園者が効率的に複数の施設を利用するためのサービスを提供するために、システム内で送受信される。
【００２９】
通信デバイス４５は、インターネット４００、モバイルネットワーク３００を介して、携帯端末３０と通信するためのデバイスである。
【００３０】
通信デバイス４６は、端末管理装置２０、受付装置４７、ＮＦＣ書込み装置４９、ＮＦＣ読み取り装置５０、施設表示装置６０、ＰＯＳシステム７０と通信するためのデバイスである。通信デバイス４６は、有線あるいは無線によるネットワークを通じて通信することが可能である。
【００３１】
図３は、本実施形態における表示端末１０とＮＦＣ読み取り装置５０の構成を示すブロック図である。  
本実施形態における表示端末１０は、図３に示すように、コントローラ１１、通信デバイス１２、ＮＦＣユニット１３、メモリ１４、表示デバイス１５、及び出力デバイス１６を含む。
【００３２】
コントローラ１１は、ＣＰＵ（central processing unit）、ＲＯＭ（read-only memory）及びＲＡＭ（random-access memory）を含んだコンピュータの機能を有する。コントローラ１１は、情報サーバ４０からの指示に応じた画像を表示するため各部を制御する。
【００３３】
通信デバイス１２は、無線中継器２１と無線通信を行い、コントローラと端末管理装置２０とのデータ通信を可能とする。通信デバイス１２としては、例えばＩＥＥＥ８０２．１５．４に準拠した周知のデバイスが利用できる。
【００３４】
ＮＦＣユニット１３は、表示端末１０に近接されたＮＦＣ書込み装置４９あるいはＮＦＣ読み取り装置５０とＮＦＣによるデータ通信を行う。ＮＦＣユニット１３には、端末識別情報（ＮＦＣＩＤ１３ａ）が設定される。ＮＦＣユニット１３のＮＦＣＩＤ１３ａは、ＮＦＣ読み取り装置５０のＮＦＣユニット３５によって読み取られる。
【００３５】
メモリ１４は、不揮発性のデータ記憶デバイスであり、複数の表示端末１０の個々を識別可能に定められたうちの１つの表示端末ＩＤ１４ａ、情報サーバ４０の制御により例えばＮＦＣ書込み装置４９により書き込まれる来園者情報１４ｂを記憶する。また、メモリ１４は、表示デバイス１５に表示する表示データを記憶する。
【００３６】
表示デバイス１５は、情報サーバ４０から通知に応じた画像を表示するものであり、コントローラ１１の制御により表示内容を変更可能である。表示デバイス１５としては、例えば電子ペーパー、ＬＣＤ（Liquid Crystal Display）などを利用することができる。
【００３７】
出力デバイス１６は、コントローラ１１の制御により、来園者に対して各種通知をするためのデバイスである。出力デバイス１６は、例えば音を出力するスピーカ、振動を発生させるバイブレータ、点灯／点滅が可能なＬＥＤ（Light Emitting Diode）などを用いることができる。
【００３８】
伝送システム１７は、コントローラ１１、通信デバイス１２、ＮＦＣユニット１３、メモリ１４及び表示デバイス１５の間でデータを伝送する。伝送システム１７は、システムバスなどの各種のバスと、これらのバスと各部とを接続する各種のインタフェース回路とを含む周知のものであって良い。
【００３９】
表示端末１０は、例えば一般に電子棚札と称されるデバイスによって実現されるため、来園者が持ち歩くことが容易となるように軽量化することができる。特に、表示デバイス１５を電子ペーパーとすることで、消費電力を少なくすることができる（バッテリの軽量化）。
【００４０】
また、本実施形態におけるＮＦＣ読み取り装置５０は、図３に示すように、ＣＰＵ３１、ＲＯＭ３２、ＲＡＭ３３、ＮＦＣユニット３５、及び通信デバイス３７を含む。  
ＣＰＵ３１は、ＲＯＭ３２に記憶されたプログラムに基づいて各部を制御する。  
ＲＯＭ３２は、プログラムやデータ等を記憶する。  
ＲＡＭ３３は、ＣＰＵ３１が各種の処理を行う上で参照するデータを記憶する。例えば、ＲＡＭ３３は、表示端末１０から読み取ったデータ等を一時的に記憶する。
【００４１】
ＮＦＣユニット３５は、表示端末１０が近接された際に、表示端末１０のＮＦＣユニット１３との間でＮＦＣによるデータ通信を行う。  
通信デバイス３７は、情報サーバ４０と通信するためのデバイスである。
【００４２】
なお、ＮＦＣ読み取り装置５０は、情報サーバ４０からの通知に応じた出力（表示、音声など）が可能な出力デバイスを有していても良い。
【００４３】
図４は、本実施形態における情報サーバ４０により管理される表示端末管理テーブル４４ａの内容の一例を示す図である。  
表示端末管理テーブル４４ａは、来園者に貸与される表示端末１０と来園者との対応を管理するためのデータである。図４に示すように、表示端末管理テーブル４４ａは、来園者に貸与される表示端末１０に設定された表示端末ＩＤと、表示端末１０のＮＦＣユニット１３に設定されたＮＦＣＩＤ１３ａと、来園者に対して発行される来園者固有の来園者ＩＤとが対応づけられたデータレコードの集合である。来園者が家族などのグループを構成している場合に、グループ内の他の来園者（同行者）に発行された来園者ＩＤ（同行者ＩＤと称する）が対応づけて記録される。表示端末１０を識別可能な端末識別情報（表示端末ＩＤ１４ａあるいはＮＦＣＩＤ１３ａ）と、来園者に固有の来園者ＩＤを対応づけて表示端末管理テーブル４４ａに記録することで、表示端末１０は、表示端末１０を所持する来園者用として設定される。これにより、各遊戯物の近くに設置されたＮＦＣ読み取り装置５０に近接された表示端末１０から、ＮＦＣによりＮＦＣユニット１３に書き込まれたＮＦＣＩＤ１３ａ（あるいは表示端末ＩＤ１４ａ）を読み込むことで、何れの来園者に貸与された表示端末１０であるかを識別することができる。
【００４４】
図５は、本実施形態における情報サーバ４０により管理される来園者情報テーブル４４ｂの内容の一例を示す図である。  
来園者情報テーブル４４ｂは、来園者個人に関するデータである。図５に示すように、来園者情報テーブル４４ｂは、来園者ＩＤ、来園者個人情報、利用予定施設情報などのデータが対応づけられたデータレコードの集合である。来園者個人情報には、例えば来園者の氏名、年齢、身長、性別、住所、電話番号、電子メールアドレス等のデータが含まれる。来園者個人情報と利用予定施設情報は、来園時、あるいはインターネット４００を介したチケット購入時などに情報サーバ４０に登録される。
【００４５】
図６は、本実施形態における情報サーバ４０により管理される待ち管理データ４４ｃの内容の一例を示す図である。  
待ち管理データ４４ｃは、複数の遊戯物（飲食店や店舗などを含む）のそれぞれについて、順番待ちを管理するためのデータである。図６に示すように、待ち管理データ４４ｃは、複数の遊戯物の施設ＩＤと対応づけて、順番待ちをしている来園者の人数を示す待ち人数、順番待ちをしている来園者を示す待ち来園者ＩＤ、順番待ちをしている各来園者の順番がくるまでの待ち予想時間、順番待ちをしている来園者あるいは複数の来園者を含むグループに割り当てられる順番待ちＩＤなどを示すデータが記録される。待ち管理データ４４ｃに含まれる待ち人数、待ち予想時間、待ち来園者ＩＤは、施設の運営状況、待ち来園者の追加などの状況変化に応じて動的に更新される。待ち予想時間は、順番待ちをしている来園者の数と、各遊戯物の１回当たりの運行時間をもとに算出される。
【００４６】
なお、表示端末管理テーブル４４ａ、来園者情報テーブル４４ｂ、待ち管理データ４４ｃ、及び案内データ４４ｄは、別々の記憶デバイスに記憶されていても良い。
【００４７】
次に、本実施形態における遊戯施設案内システムの動作について説明する。なお、以下に説明する処理の内容は一例であって、同様な結果を得ることが可能な様々な処理を適宜に利用できる。
【００４８】
情報サーバ４０は、ＣＰＵ４１により遊戯施設案内プログラムを実行することにより、以下に説明する表示端末設定処理、案内情報更新処理、待ち管理処理、発送受け付け処理を実行する。図７は、本実施形態における表示端末設定処理を示すフローチャート、図８は、本実施形態における案内情報更新処理を示すフローチャート、図９は、本実施形態における待ち管理処理を示すフローチャート、図１０は、本実施形態における発送受け付け処理を示すフローチャートである。
【００４９】
まず、図７のフローチャートを参照しながら、表示端末設定処理について説明する。図１１は、本実施形態における表示端末設定処理を説明するための図である。表示端末設定処理は、来園者に対して、遊園地内で使用する表示端末１０を割り当て、この表示端末１０に来園者用の来園者情報を送信するための処理である。
【００５０】
来園者は、例えば遊園地の受け付け窓口において、携帯端末３０を用いて来園者個人情報と利用予定施設情報をモバイルネットワーク３００、インターネット４００を通じて情報サーバ４０に送信する（図１１、Ｓ１１）。例えば、携帯端末３０は、情報サーバ４０が提供するサービスを利用するためのアプリケーションを実行し、このアプリケーションの機能を利用して情報サーバ４０に送信する。携帯端末３０から来園者個人情報は、例えば来園者の氏名、年齢、身長、性別、住所、電話番号、電子メールアドレス等を含む。利用予定施設情報は、来園者により予め設定された、遊戯施設内で利用を予定している施設を示す情報である。
【００５１】
この時、携帯端末３０（アプリケーション）は、来園者情報を送信した携帯端末３０（来園者）を識別するために、来園者識別情報を生成して、来園者個人情報と利用予定施設情報に付加して情報サーバ４０に送信する。また、携帯端末３０は、来園者識別情報を表示する。
【００５２】
情報サーバ４０は、来園者個人情報と利用予定施設情報、来園者識別情報を受信すると（ＡＣＴ  Ａ１）、受付装置４７に送信する。受付装置４７は、来園者個人情報と利用予定施設情報、来園者識別情報を表示する。
【００５３】
受付担当者は、来園者の携帯端末３０に表示される来園者識別情報と、受付装置４７に表示される来園者識別情報とを一致している場合に、来園者個人情報と利用予定施設情報が登録されたことを確認できる。
【００５４】
なお、前述した説明では、来園時に来園者個人情報と利用予定施設情報を登録するとしているが、来園前に情報サーバ４０を登録しておくことも可能である。例えば、遊戯施設を利用するために予めチケット８０を購入するものとする。チケット８０は、例えば情報サーバ４０がインターネット４００を介して提供するチケット販売サービスを利用して、携帯端末３０（あるいはパーソナルコンピュータなど）を用いてチケット８０の購入の申し込みをすることができる。このチケット購入時に来園者個人情報と利用予定施設情報とを登録しておく。
【００５５】
情報サーバ４０は、来園者個人情報と利用予定施設情報と、チケット購入申し込みに応じて発行した来園者識別情報とを対応づけて記録する。また、チケット８０は、来園者識別情報を表すコード（例えば二次元コード）が印刷され、例えば郵送などによって利用者に送付される。
【００５６】
利用者は、来園時に、受付担当者にチケット８０を提示する（図１１、Ａ１２）。受付担当者は、スキャナ４８によって、チケット８０に印刷されたコード（二次元コード）を読み取らせる。受付装置４７は、スキャナ４８によって読み取ったコードが示す来園者識別情報を検出して情報サーバ４０に送信する（図１１、Ｓ１３）。情報サーバ４０は、来園者識別情報と対応づけて予め記録された来園者個人情報と利用予定施設情報を読み出す。
【００５７】
こうして、予め、来園者個人情報と利用予定施設情報とを登録しておくことで、チケット８０を受付担当者に提示するだけで受け付けが完了するので、来園時の受け付けに要する時間を短縮することができる。
【００５８】
なお、前述した説明では、１人の来園者の情報を登録する場合について説明しているが、来園者が家族や友人同士などのグループで来園している場合には、複数分の同行者について来園者個人情報と利用予定施設情報を同時に登録することができる。
【００５９】
情報サーバ４０は、来園者個人情報と利用予定施設情報を登録した来園者毎に来園者ＩＤを発行する（ＡＣＴ  Ａ２）。
【００６０】
来園者個人情報と利用予定施設情報の登録が確認されると、受付担当者は、それぞれの来園者に表示端末１０を貸与するための作業をする。受付担当者は、来園者に貸与する表示端末１０を、受付担当者の近くに設置されたＮＦＣ書込み装置４９に近接させ、受付装置４７を通じて、来園者別の来園者固定情報の送信を指示する。
【００６１】
情報サーバ４０は、ＮＦＣ書込み装置４９を通じて、表示端末１０に来園者ＩＤ、来園者個人情報を、来園者固定情報として送信する（ＡＣＴ  Ａ３）（図１１、Ｓ１４，Ｓ１５）。表示端末１０は、ＮＦＣ書込み装置４９を介して受信される来園者ＩＤ、来園者個人情報（来園者固定情報）を来園者情報１４ｂとしてメモリ１４に記録する。
【００６２】
また、情報サーバ４０は、表示端末管理テーブル４４ａに、情報の送信先の表示端末１０の端末識別情報（ＮＦＣＩＤ１３ａ、表示端末ＩＤ１４ａ）と対応付けて来園者ＩＤを記録する。同行者がいる場合には、情報サーバ４０は、さらに同行者の来園者ＩＤを同行者ＩＤとして、表示端末管理テーブル４４ａに記録する。なお、表示端末１０に書き込まれる来園者固定情報には、来園者ＩＤの他、氏名、年齢、身長のデータを含む。
【００６３】
また、情報サーバ４０は、来園者情報テーブル４４ｂに、来園者ＩＤと対応づけて、来園者個人情報と利用予定施設情報を記録する。
【００６４】
また、情報サーバ４０は、端末管理装置２０、無線中継器２１を通じて、来園者に貸与した表示端末１０に、来園者用の案内情報を表示するための来園者動的情報を送信する（ＡＣＴ  Ａ４）（図１１、Ｓ１７）。表示端末１０は、情報サーバ４０から受信した来園者用の来園者動的情報をもとに、表示デバイス１５において案内情報を表示させる（図１２参照、詳細については後述する）。来園者用の案内情報（来園者動的情報）は、時間経過と共に更新される情報である。
【００６５】
これにより、表示端末１０は、来園者用として設定される。なお、グループで来園した場合には、グループを構成する各来園者について前述と同様の処理が実行され、来園者毎に表示端末１０が貸与される。
【００６６】
次に、案内情報を更新する案内情報更新処理について、図８のフローチャートを参照しながら説明する。  
情報サーバ４０は、一定時間が経過すると（ＡＣＴ  Ｂ１、Ｙｅｓ）、表示端末１０に対して、全ての無線中継器２１を通じて存在確認の通知を一斉送信する（ＡＣＴ  Ｂ２）。表示端末１０は、無線中継器２１を通じて存在確認の通知を受信すると、この通知に応じた返信をする。
【００６７】
情報サーバ４０は、表示端末１０から存在確認の通知に対する返信があると、何れの無線中継器２１によって受信されたかを判別する。情報サーバ４０は、表示端末１０からの返信を受信した無線中継器２１が設置された場所に基づいて、表示端末１０を貸与した来園者の現在位置を特定する（ＡＣＴ  Ｂ３）。これにより、情報サーバ４０は、表示端末１０を貸与した全ての来園者の現在位置を把握することができる。
【００６８】
情報サーバ４０は、表示端末１０に対して案内情報を通知するタイミング（例えば、予め決められた一定時間毎）になると（ＡＣＴ  Ｂ４、Ｙｅｓ）、来園者（表示端末１０）毎に位置情報（来園者本人、同行者）、利用予定施設待ち時間、イベント情報などを、来園者動的情報として端末管理装置２０、無線中継器２１を通じて送信する（ＡＣＴ  Ｂ５）。
【００６９】
表示端末１０は、来園者が遊戯施設内を移動しても、無線中継器２１から送信される情報を受信することができる。表示端末１０は、情報サーバ４０から配信された来園者動的情報を受信し、案内情報を表示デバイス１５に表示する（図１１、Ｓ１８，Ｓ１９）。
【００７０】
図１２には、本実施形態における表示端末１０の表示デバイス１５に表示される案内情報の一例を示している。例えば、表示端末１０は、来園者固定情報と来園者動的情報とをもとに案内情報を表示する。  
図１２に示すように、表示端末１０は、例えば来園者の氏名１０ａ、遊戯施設に設けられた各施設の配置を示すレイアウト（遊園地内地図１０ｂ）、来園者の位置を示す来園者マーク１０ｃ、同行者の位置を示す同行者マーク１０ｄ、イベント情報１０ｅ、利用予定施設待ち時間１０ｆなどを表示する。
【００７１】
遊園地内地図１０ｂには、来園者マーク１０ｃと同行者マーク１０ｄが表示されるため、グループで来園している場合であっても、お互いの位置を容易に把握することができる。なお、同行者マーク１０ｄは、同行者毎に識別可能なとなるように表示することができる。また、利用予定施設待ち時間１０ｆ、来園者が予め登録した利用予定施設情報をもとに、該当する複数の施設の現在の待ち時間が一覧表示される。これにより、来園者は、各施設の待ち時間と、各施設の位置、現在位置をもとに、施設を回る順番などを動的に決めることができる。
【００７２】
次に、利用予定施設待ち時間１０ｆに表示される各施設の待ち時間を管理する待ち管理処理について、図９に示すフローチャートを参照しながら説明する。図１３は、本実施形態における待ち管理処理を説明するための図である。  
来園者は、利用しようとする施設に移動すると、施設の入り口近くに設置されたＮＦＣ読み取り装置５０に表示端末１０を近接させる（図１３、Ｓ２１）。ＮＦＣ読み取り装置５０は、近接された表示端末１０とＮＦＣによる通信を実行して、表示端末１０の来園者情報１４ｂに含まれる来園者ＩＤを読み取る。ＮＦＣ読み取り装置５０は、表示端末１０から読み取った来園者ＩＤと、施設に固有の施設ＩＤとを情報サーバ４０に送信する（図１３、Ｓ２２）。これにより、来園者の施設への到着確認が可能となる。
【００７３】
情報サーバ４０は、ＮＦＣ読み取り装置５０から受信した施設ＩＤの入場規制データと、来園者ＩＤが示す来園者の来園者個人情報とをもとに、来園者が入場規制に適合しているか（利用可能であるか）を判別する（ＡＣＴ  Ｃ２）。例えば、入場規制に身長制限がある場合、情報サーバ４０は、来園者の身長のデータと制限身長とを比較して、来園者が入場規制に適合しているかを判別する。
【００７４】
ここで、来園者が入場規制に適合していないと判別した場合（ＡＣＴ  Ｃ３、Ｎｏ）、情報サーバ４０は、来園者が入場規制に適合していないことを示すＮＧ応答をＮＦＣ読み取り装置５０に送信する（ＡＣＴ  Ｃ４）（図１３、Ｓ２３）。ＮＦＣ読み取り装置５０は、情報サーバ４０からのＮＧ応答に応じて、入場不可を来園者に通知するための出力をする（表示または音声）。
【００７５】
一方、来園者が入場規制に適合していると判別した場合（ＡＣＴ  Ｃ３、Ｙｅｓ）、情報サーバ４０は、来園者が入場規制に適合していることを示す適合をＮＦＣ読み取り装置５０に送信すると共に、待ち管理データ４４ｃの施設ＩＤに対応する待ち人数を更新（＋１）する（ＡＣＴ  Ｃ５）。ＮＦＣ読み取り装置５０は、情報サーバ４０からの適合応答に応じて、入場可能（順番待ちに追加）を来園者に通知するための出力をする（表示または音声）。
【００７６】
また、情報サーバ４０は、ＮＦＣ読み取り装置５０から受信した来園者ＩＤを待ち来園者ＩＤとして、待ち管理データ４４ｃに記録する。また、情報サーバ４０は、来園者に対する順番待ちＩＤを発行する。さらに、情報サーバ４０は、待ち予想時間を算出して（ＡＣＴ  Ｃ７）、待ち予想時間を、端末管理装置２０、無線中継器２１を通じて送信する（ＡＣＴ  Ｃ８）。
【００７７】
順番待ちＩＤは、例えば遊戯施設が１回の運行によって利用可能な来園者毎に発行される。例えば、１回の運行によって２０人の来園者が遊戯施設を利用できる場合、２０人分の待ち来園者ＩＤに対して同じ順番待ちＩＤが発行される。  
また、待ち予想時間は、例えば遊戯施設の１回の運行に要する時間と、待ち人数（何回の運行分の順番待ちをしている来園者がいるか）に基づいて算出することができる。
【００７８】
なお、前述した説明では、情報サーバ４０において入場規制を判別しているが、施設の入り口近くに設置されたＮＦＣ読み取り装置５０に入場規制を判別する機能を設けることも可能である。この場合、ＮＦＣ読み取り装置５０は、表示端末１０から来園者情報１４ｂを読み取り、来園者情報１４ｂに含まれる例えば身長のデータと、施設毎に決められた入場規制データ（制限身長）とを比較して、施設を利用可能であるか否かを判別する。ＮＦＣ読み取り装置５０は、入場規制に適合していると判別した場合に、この来園者の来園者ＩＤを情報サーバ４０に送信する。情報サーバ４０は、ＮＦＣ読み取り装置５０から来園者ＩＤを受信すると、図９に示すＡＣＴ  Ｃ５〜Ｃ８により、順番待ちを管理する。
【００７９】
こうして、来園者は、施設近くに設置されたＮＦＣ読み取り装置５０に対して表示端末１０を近接させるだけで、施設の利用の順番待ちを登録することができる。また、情報サーバ４０は、各施設について、待ち人数、待ち予想時間、待ち来園者ＩＤ、順番待ちＩＤを管理することができる。情報サーバ４０は、待ち管理データ４４ｃに登録されたデータをもとに、前述した案内情報更新処理のＡＣＴ  Ｂ５において、それぞれの来園者の利用予定施設に応じて、各施設についての利用予定施設待ち時間を送信することができる。
【００８０】
図１４は、本実施形態における表示端末１０の表示デバイス１５に表示される、順番待ちした場合の案内情報の一例を示している。  
図１４に示すように、表示端末１０は、例えば利用予定施設待ち時間１０ｆにおいては、順番待ちをした施設（図１４では「施設３」）を、他の施設とは異なる形態によって表示すると共に、来園者に対して発行された順番待ちＩＤ１０ｇ（図１４では「Ｓ３２５」）を表示する。また、表示端末１０は、施設毎の待ち時間を表示する。
【００８１】
表示端末１０に表示される案内情報は、前述した案内情報更新処理によって、所定のタイミングで情報サーバ４０から送信される来園者動的情報をもとに更新される。従って、来園者が遊戯施設内の何れに移動しても、表示端末１０は、無線中継器２１を通じて来園者動的情報を受信して、案内情報を更新することができる（図１３、Ｓ２５）。
【００８２】
従って、来園者は、順番待ちをした施設において順番待ちをする必要がない。来園者は、利用予定施設待ち時間１０ｆに表示される、順番待ちＩＤが表示された施設の待ち時間を見て、待ち時間が「０」に近くなったら施設に移動すれば良い。
【００８３】
また、情報サーバ４０は、各施設が運行されるごとに、例えば施設（「施設３」）の近くに設置された施設表示装置６０において、次の運行の順番に該当する順番待ちＩＤを送信する（図１３、Ｓ２６）。施設表示装置６０は、図１３に示すように、情報サーバ４０から受信した順番待ちＩＤを表示する。従って、来園者は、施設表示装置６０に表示される順番待ちＩＤと、表示端末１０に表示される順番待ちＩＤとを比較して、自分の順番になったことを確認できる。
【００８４】
なお、表示端末１０は、情報サーバ４０から受信した予約待ちをしている施設の待ち時間が、予め決められた時間（例えば１０分）となった場合に、出力デバイス１６から該当施設への移動を促す出力をしても良い。例えば、表示端末１０は、メッセージ表示、メッセージ音声の出力、警告音の発生、振動発生、ＬＥＤの点灯／点滅などによって、該当施設への移動を促す。
【００８５】
また、表示端末１０の遊園地内地図１０ｂには、同行者の位置が同行者マーク１０ｄによって表示される。従って、グループの各来園者は、他の同行者が既に施設近くに移動していること、あるいは自分のみが離れていることなどを容易に把握することができる。すなわち、グループの各来園者は、一緒に順番待ちをしていなくても、順番前には全員が施設近くに、容易に集まることができる。
【００８６】
特に、同行者マーク１０ｄが同行者毎に識別可能に表示されている場合、携帯端末３０を用いて個別に連絡することもできる。例えば、情報サーバ４０は、同行者の位置を示すデータに、同行者の氏名（一部でも良い）のデータを付加して表示端末１０に送信する。表示端末１０は、同行者マーク１０ｄの近傍に、同行者の氏名を表示することができる。
【００８７】
なお、来園者は、施設を利用する前に、施設に設けられたＮＦＣ読み取り装置５０に表示端末１０を近接させる。ＮＦＣ読み取り装置５０は、表示端末１０から来園者ＩＤを受信して情報サーバ４０に送信する。情報サーバ４０は、ＮＦＣ読み取り装置５０から受信した来園者ＩＤが、順番待ちＩＤとして待ち管理データ４４ｃに記録されているかを判別する。すなわち、情報サーバ４０は、次の運行に対応する順番待ちＩＤが設定された、順番待ちに登録されている来園者であるかを判別する。情報サーバ４０は、順番待ちに登録されている来園者ではないと判別した場合、ＮＦＣ読み取り装置５０に利用ＮＧを通知する。こうして、来園者によって表示端末１０をＮＦＣ読み取り装置５０に近接させるだけで、順番待ちの登録を確認することができる。
【００８８】
情報サーバ４０は、施設の運行が終了すると、待ち管理データ４４ｃから、施設を利用する前にＮＦＣ読み取り装置５０から読み取られた来園者ＩＤに該当する、待ち来園者ＩＤと順番待ちＩＤを削除すると共に、待ち人数を更新（施設を利用した来園者分を削減）する。待ち管理データ４４ｃの更新後の情報は、案内情報更新処理によって、各来園者の表示端末１０に送信される。
【００８９】
次に、店舗において商品を購入する時の発送受け付け処理について、図１０に示すフローチャートを参照しながら説明する。図１５は、本実施形態における発送受け付け処理を説明するための図である。  
来園者は、店舗で購入した商品を宅配業者により配送させる場合、ＰＯＳシステム７０に接続されたＮＦＣ読み取り装置７１に表示端末１０を近接させる（図１５、Ｓ３１）。ＮＦＣ読み取り装置７１は、表示端末１０から来園者ＩＤを読み出し、ＰＯＳシステム７０に送信する（図１５、Ｓ３２）。ＰＯＳシステム７０は、ＮＦＣ読み取り装置７１によって読み取られた来園者ＩＤを情報サーバ４０に送信する（図１５、Ｓ３３）。
【００９０】
情報サーバ４０は、ＰＯＳシステム７０を通じて、表示端末１０から読み取られた来園者ＩＤを受信すると（ＡＣＴ  Ｄ１）、来園者情報テーブル４４ｂに登録された、来園者ＩＤに対応する来園者個人情報を読み出す。情報サーバ４０は、来園者個人情報中の送り状（配送伝票）の印刷に必要なデータ、すなわち氏名、住所、電話番号のデータを読み出してＰＯＳシステム７０に送信する（ＡＣＴ  Ｄ２）（図１５、Ｓ３４）。
【００９１】
ＰＯＳシステム７０は、情報サーバ４０から受信した来園者情報（氏名、住所、電話番号）のデータをもとに、プリンタ７２によって、送り状（配送伝票）に氏名、住所、電話番号を印刷させる。
【００９２】
また、情報サーバ４０は、ＰＯＳシステム７０に来園者情報を送信した来園者に対して、来園者個人情報に含まれる電子メールアドレスを宛先として、商品の発送受付、商品の発送手続きの完了（受付・発送情報）などの内容を含む電子メールを、インターネット４００を通じて送信する（ＡＣＴ  Ｄ３）（図１５、Ｓ３６）。なお、情報サーバ４０は、ＰＯＳシステム７０から来園者が購入した商品の情報（商品名、個数、商品画像など）を受信して、電子メールに添付する。
【００９３】
来園者は、例えば携帯端末３０によって情報サーバ４０からの電子メールを受信し、商品の発送受付、商品の発送手続きの完了などを確認することができる。
【００９４】
こうして、来園者は、表示端末１０をＮＦＣ読み取り装置７１に近接させるだけで、商品を宅配業者により配送させるために必要な送り状（配送伝票）を作成することができる。すなわち、来園者は、手書きによって配送伝票に氏名、住所、電話番号を記入する必要がないので、送り状（配送伝票）の作成に要する手間と時間を大幅に少なくすることができる。また、店舗は、商品購入の手続き待ちをする来園者に対して、長い時間待たせる必要がなく、サービス向上を図ることができる。
【００９５】
なお、来園者は、遊戯施設を出る際に、表示端末１０を受け付け窓口などに返却する。表示端末１０は、窓口担当者による操作によって、表示端末１０に記録されたデータを消去する。また、情報サーバ４０は、表示端末管理テーブル４４ａ、来園者情報テーブル４４ｂ、待ち管理データ４４ｃに記録されたデータを削除する。これにより、表示端末１０は、他の来園者に貸与可能な状態となる。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１０…表示端末、１１…コントローラ、１２…通信デバイス、１３…ＮＦＣユニット、１４…メモリ、１４ａ…表示端末ＩＤ、１５…表示デバイス、１６…出力デバイス、２０…端末管理装置、２１…無線中継器、３０…携帯端末、３１…ＣＰＵ、３２…ＲＯＭ、３３…ＲＡＭ、３４…補助記憶デバイス、３５…ＮＦＣユニット、３６…タッチパネル、３７…通信デバイス、４０…情報サーバ、４１…ＣＰＵ、４２…ＲＯＭ、４３…ＲＡＭ、４４…補助記憶デバイス、４４ａ…表示端末管理テーブル、４４ｂ…来園者情報テーブル、４４ｃ…待ち管理テーブル、４４ｄ…案内データ、４６…通信デバイス、４７…受付端末、７０…ＰＯＳシステム、７２…プリンタ、３００…モバイルネットワーク、４００…インターネット。
【図１】
2016057706.tif 000003
【図２】
2016057706.tif 000004
【図３】
2016057706.tif 000005
【図４】
2016057706.tif 000006
【図５】
2016057706.tif 000007
【図６】
2016057706.tif 000008
【図７】
2016057706.tif 000009
【図８】
2016057706.tif 000010
【図９】
2016057706.tif 000011
【図１０】
2016057706.tif 000012
【図１１】
2016057706.tif 000013
【図１２】
2016057706.tif 000014
【図１３】
2016057706.tif 000015
【図１４】
2016057706.tif 000016
【図１５】
2016057706.tif 000017